(57)【要約】【課題】食券購入者側がメニューを選択するとともに使用者側がそれを食べたことを確認可能な電子食券発行プログラム及び電子食券発行システムを提供する。【解決手段】この電子食券発行プログラム及び電子食券発行システムは、食券購入者が使用者に食べさせたいメニューを選択して、そのメニューの電子食券を使用者に送付する。よって、食券購入者が栄養バランス等に配慮して電子食券を選択することで、使用者に健康的な食事を摂らせることができる。さらに、使用者が電子食券のメニューを食したことを確認するために、使用者に対し画像の撮影もしくはメッセージの入力を要求する。また、電子食券の使用の際には使用者の携帯端末へ登録店舗側の店舗認証番号の入力を要求する。これにより、電子食券の転用や不正使用を抑制することができる。【選択図】図３
2017194890.tif 000002
【特許請求の範囲】
【請求項１】
食券購入者と使用者の登録情報を取得するステップと、
登録飲食店のメニューの中から前記食券購入者の検索条件に該当するメニューを抽出して表示する検索ステップと、
前記食券購入者が選択したメニューの電子食券を発行し使用者に通知するステップと、
前記使用者が前記電子食券の使用を要求した場合に、画像の撮影もしくは食券購入者へのメッセージを要求するステップと、
前記画像の撮影もしくはメッセージの入力が行われた後に前記登録飲食店毎に設定された店舗認証番号の入力を要求ステップと、
前記店舗認証番号の入力により前記電子食券の使用を確認し、前記電子食券の使用を前記画像もしくはメッセージとともに前記食券購入者に通知するステップと、を有することを特徴とする電子食券発行プログラム。
【請求項２】
使用者の登録情報が、地域情報として使用者が通学している学校の学校情報を含み、
検索ステップが、前記学校情報に基づいて使用者が通学している学校近郊の登録飲食店のメニューの中から食券購入者の検索条件に該当するメニューを抽出して表示することを特徴とする請求項１記載の電子食券発行プログラム。
【請求項３】
使用者の登録情報が、地域情報として使用者の住所の情報もしくは勤務地の住所の情報を含み、
検索ステップが、前記地域情報の近郊の登録飲食店のメニューの中から食券購入者の検索条件に該当するメニューを抽出して表示することを特徴とする請求項１または請求項２に記載の電子食券発行プログラム。
【請求項４】
登録飲食店に固有の店舗認証番号を設定する手順と、
食券購入者と使用者の登録情報を取得する手順と、
前記食券購入者の検索により前記登録飲食店のメニューの中から前記食券購入者の検索条件に該当するメニューを抽出して表示する手順と、
前記使用者が前記電子食券の使用を要求した場合に、前記使用者に画像の撮影もしくは食券購入者へのメッセージを要求する手順と、
前記画像の撮影もしくはメッセージの入力が行われた後に前記店舗認証番号の入力を店舗側に要求する手順と、
前記店舗認証番号の入力により前記電子食券の使用を確認し、前記電子食券の使用を前記画像もしくはメッセージとともに前記食券購入者に通知する手順と、を有することを特徴とする電子食券発行システム。
【発明の詳細な説明】
【技術分野】
【０００１】
本発明は、食券購入者が、特定の使用者に対して食券購入者の選択したメニューを飲食させるための電子食券発行プログラム及び電子食券発行システムに関するものである。
【背景技術】
【０００２】
現在、携帯電話やスマートフォンの普及率は９０％を超え、インターネットの利用率も人口の８０％近くとなっている。これに伴い、インターネットを介した情報発信や商取引も盛んに行われている。特に、飲食店をはじめとする商業店舗ではインターネット上で割引券（クーポン券）を発行し、集客を図る手法が一般的に広く普及している。このクーポン券の発行に関して、例えば下記［特許文献１］では発行したクーポン券の取り扱いをサポートする発明が開示されている。
【先行技術文献】
【特許文献】
【０００３】
【特許文献１】特開２００６−１９５５１４号公報
【発明の概要】
【発明が解決しようとする課題】
【０００４】
ところで、近年、単身世帯が増加傾向にあり、特に大学生の約４割が一人暮らしであるという調査結果が得られている。また、親世代の経済状況の変化から仕送り額は年々減少傾向にあり、学生の食費に対する節約志向も高い。こういった環境下では、欠食や安価なインスタント食品、レトルト食品に偏るケースが多く、栄養の偏りによる健康被害が懸念される。また、栄養のバランスを考えず自分の好きな物ばかりを食べる傾向も強い。そして、保護者にとっては一人暮らしの子供の日々の食事が心配事の上位に位置する。これに対し、現金を送付することでは食事以外の事に使用する虞がある他、上記の栄養バランスの改善には直接的には寄与しない、また食材の送付では調理の手間から使用せず無駄となる可能性がある。
【０００５】
本発明は上記事情に鑑みてなされたものであり、食券購入者側がメニューを選択するとともに使用者側がそれを食べたことを確認可能な電子食券発行プログラム及び電子食券発行システムを提供することを目的とする。
【課題を解決するための手段】
【０００６】
本発明は、
（１）食券購入者と使用者の登録情報を取得するステップ（登録情報取得ステップＳ１０２）と、
登録飲食店のメニューの中から前記食券購入者の検索条件に該当するメニューを抽出して表示する検索ステップ（メニュー抽出ステップＳ３０４、メニューリスト表示ステップＳ３０６）と、
前記食券購入者が選択したメニューの電子食券を発行し（電子食券発行ステップＳ３１９）使用者に通知するステップ（食券発行通知ステップＳ３２２、Ｓ３２４）と、
前記使用者が前記電子食券の使用を要求した場合に、画像の撮影もしくは食券購入者へのメッセージを要求するステップ（メッセージ要求ステップＳ４０８）と、
前記画像の撮影もしくはメッセージの入力が行われた後に前記登録飲食店毎に設定された店舗認証番号の入力を要求ステップ（店舗認証番号要求ステップＳ４１２）と、
前記店舗認証番号の入力により前記電子食券の使用を確認し、前記電子食券の使用を前記画像もしくはメッセージとともに前記食券購入者に通知するステップ（食券使用通知ステップＳ４１６）と、を有することを特徴とする電子食券発行プログラムを提供することにより、上記課題を解決する。
（２）使用者の登録情報が、地域情報として使用者が通学している学校の学校情報を含み、
検索ステップが、前記学校情報に基づいて使用者が通学している学校近郊の登録飲食店のメニューの中から食券購入者の検索条件に該当するメニューを抽出して表示することを特徴とする上記（１）記載の電子食券発行プログラムを提供することにより、上記課題を解決する。
（３）使用者の登録情報が、地域情報として使用者の住所の情報もしくは勤務地の住所の情報を含み、
検索ステップが、前記地域情報の近郊の登録飲食店のメニューの中から食券購入者の検索条件に該当するメニューを抽出して表示することを特徴とする上記（１）または（２）に記載の電子食券発行プログラムを提供することにより、上記課題を解決する。
（４）登録飲食店に固有の店舗認証番号を設定する手順と、
食券購入者と使用者の登録情報を取得する手順と、
前記食券購入者の検索により前記登録飲食店のメニューの中から前記食券購入者の検索条件に該当するメニューを抽出して表示する手順と、
前記使用者が前記電子食券の使用を要求した場合に、前記使用者に画像の撮影もしくは食券購入者へのメッセージを要求する手順と、
前記画像の撮影もしくはメッセージの入力が行われた後に前記店舗認証番号の入力を店舗側に要求する手順と、
前記店舗認証番号の入力により前記電子食券の使用を確認し、前記電子食券の使用を前記画像もしくはメッセージとともに前記食券購入者に通知する手順と、を有することを特徴とする電子食券発行システムを提供することにより、上記課題を解決する。
【発明の効果】
【０００７】
本発明に係る電子食券発行プログラム及び電子食券発行システムは、食券購入者が使用者に食べさせたいメニューを選択して、そのメニューの電子食券を使用者に送付する。よって、食券購入者が栄養バランス等に配慮して電子食券を選択することで、使用者に健康的な食事を摂らせることができる。
【図面の簡単な説明】
【０００８】
【図１】本発明に係る電子食券発行プログラムのフローチャートである。
【図２】本発明に係る電子食券発行プログラムのフローチャートである。
【図３】本発明に係る電子食券発行プログラムのフローチャートである。
【図４】本発明に係る電子食券発行プログラム及び電子食券発行システムの食券購入者側の表示内容を説明する図である。
【図５】本発明に係る電子食券発行プログラム及び電子食券発行システムのメニュー検索を説明する図である。
【図６】本発明に係る電子食券発行プログラム及び電子食券発行システムの使用者側の表示内容を説明する図である。
【発明を実施するための形態】
【０００９】
本発明に係る電子食券発行プログラム及び電子食券発行システムの実施の形態及び動作について図１、図２、図３のフローチャートを用いて説明する。尚、本発明は保護者（食券購入者）と一人暮らしの学生（使用者）との間での使用を想定したものであるが、食券購入者と使用者の関係には特に限定は無く、例えば使用者を若年労働者、単身赴任者、単身高齢者等とし、食券購入者を家族、親戚縁者等としても良い。さらに、同居の家族や離れて暮らすパートナーの栄養管理や、会社組織における食事補助等に用いても良い。
【００１０】
尚、本発明に係る電子食券発行システムは、食券購入者側は基本的にパーソナルコンピュータや携帯端末からのインターネットを介した電子食券発行システムへのアクセスにより使用する。また、使用者側は基本的に携帯端末からの電子食券発行システムへのアクセス、もしくは専用アプリケーションソフトやＳＮＳ（Ｓｏｃｉａｌ  Ｎｅｔｗｏｒｋｉｎｇ  Ｓｅｒｖｉｃｅ）を介したデータの送受信により使用する。
【００１１】
先ず、電子食券発行システムの管理会社は、この電子食券発行システムに加入した登録飲食店のメニューをデータベースに記録する。この際、メニューには紹介文を添付しても良い。また、登録飲食店の店舗情報を取得してデータベースに記録する。尚、この店舗情報とは、例えば、店舗の住所、電話番号、営業時間、定休日、最寄駅からの徒歩での所要時間、地図、登録飲食店の紹介文等である。尚、登録飲食店やメニューの紹介文等は電子食券発行システムの管理会社側が独自に作成したものを使用する事が好ましい。さらに、電子食券発行システムの管理会社は登録飲食店ごとに固有の店舗認証番号を設定し、それぞれの登録飲食店に通知する。
【００１２】
次に、食券購入者が自身のパーソナルコンピュータ、スマートフォン、タブレット等の電子端末からインターネットを介して電子食券発行システムにアクセスする（ステップＳ１００）。食券購入者が電子食券発行システムにアクセスすると、電子食券発行プログラムは食券購入者に対し会員登録済みか否かを問う（ステップＳ１０１）。そして、食券購入者が未登録者の場合（ステップＳ１０１：Ｎｏ）、登録情報の入力要求画面を表示して登録情報を取得する（登録情報取得ステップＳ１０２）。尚、電子食券発行システムは未登録ユーザもしくは未ログイン状態においても検索ステップまでの使用は可能である。
【００１３】
このとき電子食券発行プログラムが取得する登録情報としては、電子食券を購入する食券購入者の情報と、電子食券を実際に使用する使用者の情報がある。そして、食券購入者の情報としては、食券購入者の氏名、住所、支払に用いるクレジットカード等のカード情報、連絡に用いるメールアドレスもしくはＬＩＮＥ（登録商標）等のＳＮＳのＩＤが挙げられる。また、使用者の情報としては、使用者の氏名、住所、連絡に用いるメールアドレスもしくはＳＮＳのＩＤ、及び地域情報が挙げられる。ここで、地域情報としては、先ず、使用者の住所の情報が挙げられる。また、使用者が学生の場合には学校名（学校情報）が挙げられる。この学校情報の入力は選択式とすることが好ましい。また、校舎が複数地に点在している場合には所在地ごとに個別に入力可能とすることが好ましい。そして、電子食券発行システムは各学校名と対応する住所データを有しており、学校名を入力することで、その学校の所在地の住所の情報が地域情報として自動的に登録される。また、他の地域情報としては、学生のアルバイト先や就労者の勤務地の住所の情報等が挙げられる。また、使用者が良く行く場所などの任意の場所を地域情報に登録しても良い。尚、地域情報は複数登録が可能であり、特に学生の使用を想定して、例えば使用者の住所、学校、アルバイト先が入力できるよう、３ヶ所以上入力可能とすることが好ましい。
【００１４】
登録情報が入力されると電子食券発行プログラムは、食券購入者の登録情報を記録するとともに、食券購入者固有のＩＤパスを食券購入者に発行する（ステップＳ１０４）。そして、例えば図４（ａ）に示すようなマイページ３０を表示する（ステップＳ２００）。また、食券購入者が会員登録済みの場合（ステップＳ１０１：Ｙｅｓ）、ログイン画面を表示してＩＤとパスワードの入力を要求する（ステップＳ１０６）。そして、正しいＩＤとパスワードが入力されると（ステップＳ１０６：Ｙｅｓ）、ステップＳ２００に移動してマイページ３０を表示する。そして、このマイページ３０は、後述の購入履歴画面８０ａを表示する履歴表示ボタン３０ａと、使用者からのメッセージ画面８０ｃを表示するメッセージ表示ボタン３０ｂと、支払確認画面８０ｂを表示する支払確認画面表示ボタン３０ｃと、検索画面４０に移動する検索画面タブ３０ｄと、このマイページ３０に戻るマイページタブ３０ｅと、を有している。また、マイページ３０は、購入手続中のメニューを表示する「買い物かご」タブを有していても良い。
【００１５】
次に、食券購入者が検索画面タブ３０ｄを押下すると（ステップＳ２０２：Ｙｅｓ）、電子食券発行プログラムは例えば図５（ａ）に示すような検索画面４０を表示する（ステップＳ３００）。この検索画面４０には、例えば使用者に食べてもらいたい肉、魚、野菜等の食材名やメニュー名称、その他のキーワードで検索するフリーキーワード検索欄４０ａと、地域で検索する地域検索欄４０ｂと、使用者が通学している学校の近郊で検索する学校検索欄４０ｃと、を有している。尚、食券購入者の登録情報に使用者の地域情報、学校情報が入力されている場合には、地域検索欄４０ｂもしくは学校検索欄４０ｃには登録された地域情報もしくは学校名が自動的に入力される。尚、この地域検索欄４０ｂ、学校検索欄４０ｃの内容は食券購入者が適宜変更することが可能である。食券購入者はこの検索画面４０に目的とする検索条件を入力もしくは選択し、検索実行を指示する（ステップＳ３０２：Ｙｅｓ）。これにより、電子食券発行プログラムはデータベースに登録された登録飲食店のメニューの中から入力された検索条件に該当するメニューを抽出する（メニュー抽出ステップＳ３０４）。尚、食券購入者が変更しない限り地域検索欄４０ｂもしくは学校検索欄４０ｃには地域情報と学校名（学生の場合）が入力されているから、通常、使用者の住所、学校、勤務地、アルバイト先等の地域情報近郊の登録飲食店の中からメニューの抽出が行われる。
【００１６】
メニュー検索が終了すると電子食券発行プログラムは、例えば図５（ｂ）に示すように、抽出されたメニューのメニューリスト画面５０を表示する（メニューリスト表示ステップＳ３０６）。尚、図５（ｂ）ではフリーキーワード検索欄４０ａに「魚」「定食」を入力した例を示しており、メニューリスト画面５０には検索条件に該当したメニュー５０ａ、５０ｂ、５０ｃの商品名、商品画像、提供する登録飲食店名、価格等がそれぞれ表示されている。
【００１７】
また、メニューリスト画面５０には並べ替え指定欄５２、絞り込み検索欄５４を有している。そして、食券購入者が並べ替え指定欄５２に所定の条件の並べ替え指示を選択入力すると、電子食券発行プログラムは抽出されたメニュー５０ａ、５０ｂ、５０ｃ・・・を指定の条件で並び替えて表示する。また、食券購入者が絞り込み検索欄５４に検索条件をさらに入力して実行すると（ステップＳ３１０：Ｙｅｓ）、電子食券発行プログラムは抽出されたメニュー５０ａ、５０ｂ、５０ｃ・・・のうちから絞り込み検索条件に該当するメニューのみを抽出し（メニュー抽出ステップＳ３０４）、メニューリスト画面５０に表示する（メニューリスト表示ステップＳ３０６）。この絞り込み検索の条件としては例えば価格帯、登録飲食店の店舗の営業時間、最寄駅からの徒歩での所要時間等が挙げられる。また、地域情報を適宜変えることで、選択した地域情報近郊の登録飲食店に絞り込み検索することができる。さらに、使用者が定期券を使用して通学（通勤）している場合には、地域情報として定期券の区間駅名を入力可能とし、使用者の定期券区間内の沿線近郊の店舗のみの絞り込み検索を可能としても良い。
【００１８】
食券購入者はこれらの検索によって表示されたメニューリスト画面５０を見て、使用者に食べさせたいメニューを選択する（ステップＳ３０８：Ｙｅｓ）。食券購入者によりメニュー選択がされると、電子食券発行プログラムは、例えば図５（ｃ）に示すような選択メニュー表示画面６０を表示する（ステップＳ３１２）。この選択メニュー表示画面６０には、例えば選択されたメニューの画像や簡単な説明が記載されたメニュー情報表示６０ａと、価格、店舗の住所、電話番号、営業時間、最寄駅からの所要時間等が記載された店舗情報表示６０ｂと、店舗の画像や紹介文、略地図等が記載された店舗紹介表示６０ｃ等を有している。また、選択メニュー表示画面６０は、選択したメニューを確定する例えば「まごころきっぷを発行する」と記載されたメニュー確定ボタン６２を有している。
【００１９】
食券購入者はこの選択メニュー表示画面６０を見て、このメニューで良ければメニュー確定ボタン６２を押下する（ステップＳ３１４：Ｙｅｓ）。これにより、電子食券発行プログラムは、確定したメニューの電子食券を購入予定とする（ステップＳ３１６）。また、このメニューが食券購入者の希望に沿わない場合、前画面に戻る操作を行うことで（ステップＳ３３０：Ｙｅｓ）メニューリスト画面５０に移動する。また、食券購入者が検索画面タブ３０ｄを押下することで（ステップＳ３３４：Ｙｅｓ）、ステップＳ３００の検索画面４０に移動する。
【００２０】
尚、メニューリストの表示方法は、先ずメニュー名称のみを表示し、食券購入者が任意のメニューを選択した後に各登録飲食店のメニュー５０ａ、５０ｂ、５０ｃ・・・を表示するようにしても良い。この構成では、例えば「焼き魚定食」を選択することで、複数の登録飲食店の「焼き魚定食」のメニューリスト画面５０を得ることができる。
【００２１】
そして、ステップＳ３１６にて電子食券が購入予定になると、電子食券発行プログラムは、例えば図５（ｄ）に示すような送信方法選択画面７０を表示する。この送信方法選択画面７０には、食券購入者が選択確定したメニューのメニュー情報７２と、この登録飲食店の店舗情報へのリンク７３と、この電子食券の使用期限表示７４と、使用者への送信方法選択ボタン７６ａ、７６ｂと、食券購入者に対し更に購入する電子食券が有るか否かを問う追加購入ボタン７８と、を有している。そして、食券購入者が追加購入ボタン７８を押下した場合には（ステップＳ３１８：Ｙｅｓ）、ステップＳ３００に移行して、再度検索画面４０を表示する。尚、このとき、「このお店でもう１つ選ぶ」等の選択肢を表示して、この選択肢を選択した場合には発券要求した登録飲食店のメニューリストを表示して、サイドメニューを選択可能としても良い。
【００２２】
そして、目的の電子食券の発券要求が全て完了すると、食券購入者は自分が希望する送信手段の送信方法選択ボタン７６ａ、７６ｂのいずれかを押下する（ステップＳ３１８：Ｎｏ）。これにより、購入予定だった電子食券の発行が行われる（電子食券発行ステップＳ３１９）。このとき、「メールで送る」と表示された送信方法選択ボタン７６ａを押下した場合（ステップＳ３２０：Ｙｅｓ）、電子食券発行プログラムは登録情報に記載された使用者との連絡に用いるメールアドレスに電子食券を送付する（食券発行通知ステップＳ３２２）。また、例えば「ＬＩＮＥ（登録商標）で送る」と表示された送信方法選択ボタン７６ｂを押下した場合（ステップＳ３２０：Ｎｏ）、電子食券発行プログラムは登録情報に記載されたＳＮＳを介して使用者に電子食券を送付する（食券発行通知ステップＳ３２４）。このとき、食券購入者が使用者へのメッセージを入力可能としても良い。尚、ＳＮＳを介して送付する場合、使用するＳＮＳの設定は電子食券発行システムの管理会社と登録された使用者のみが閲覧可能なものとする。
【００２３】
次に、電子食券発行プログラムは食券購入者の購入履歴に今回発行した電子食券を記録する（ステップＳ３２６）。そして、ステップＳ２００に移行してマイページ３０に戻る。ここで、食券購入者がマイページ３０の履歴表示ボタン３０ａを押下すると（ステップＳ２０４：Ｙｅｓ）、電子食券発行プログラムは例えば図４（ｂ）に示すような購入履歴画面８０ａを表示する（ステップＳ２０６）。この購入履歴画面８０ａには食券購入者が過去に購入した電子食券情報８２ａと、この電子食券の使用状況表示８２ｂと、この電子食券の有効期限表示８２ｃと、を有している。これにより、食券購入者は自身の購入した電子食券及びその使用状況を確認することができる。
【００２４】
また、電子食券が送付されると、使用者の携帯端末には例えば図６（ａ）のような電子食券受信画面９０ａが表示される（ステップＳ４０２）。この電子食券受信画面９０ａには例えば発行された電子食券の有効期限表示９２ａと、メニュー情報９２ｂと、提供する登録飲食店の店舗情報へのリンク９２ｃと、電子食券使用ボタン９４と、を有している。尚、電子食券の送付は、電子食券発行システムが管理する使用者固有のＵＲＬの送付、もしくはＵＲＬを埋め込んだ画像データ、使用者のみが閲覧可能なＳＮＳ等により、複製や他人の使用が出来ない手法で行う。
【００２５】
次に、使用者がこの電子食券を使用する場合、携帯端末に送付された電子食券受信画面９０ａを呼び出す。尚、未使用の電子食券が複数ある場合には、使用者は今回使用する電子食券の電子食券受信画面９０ａを呼び出す。このとき、適宜、店舗情報リンク９２ｃを押下して店舗情報ページにアクセスして店舗の住所や交通アクセス、営業時間、定休日等を確認する。
【００２６】
次に、使用者は電子食券に記載された登録店舗で電子食券を提示するとともに、電子食券に記載のメニューを注文する。また、これと前後して電子食券受信画面９０ａの電子食券使用ボタン９４を押下する（ステップＳ４０６：Ｙｅｓ）。
【００２７】
電子食券使用ボタン９４が押下されると電子食券発行プログラムは使用者の携帯端末に例えば図６（ｂ）に示すようなメッセージ要求表示９６を表示する（メッセージ要求ステップＳ４０８）。このメッセージ要求表示９６は、使用者が電子食券を確かに使用したことを示す間接的な証拠を取得するためのものであり、メッセージ選択ボタン９７ａと撮影ボタン９７ｂとを有している。使用者はこのメッセージ要求表示９６を受けて、撮影画像を食券購入者に送る場合には撮影ボタン９７ｂを押下する（メッセージ要求ステップＳ４０８：Ｙｅｓ）。これにより、使用者の携帯端末のカメラ機能が動作する。そして、使用者は料理の写真や食事の様子、完食した画像等の撮影を行う（ステップＳ４０９：Ｙｅｓ）。これにより、電子食券発行プログラムは店舗認証番号要求ステップＳ４１２に移行する。そして、この撮影画像は使用者が電子食券のメニューを確かに食べたことを間接的に示す証拠となる。
【００２８】
また、使用者が食券購入者にメッセージを送る場合にはメッセージ選択ボタン９７ａを押下する（メッセージ要求ステップＳ４０８：Ｎｏ）。これにより、電子食券発行プログラムは使用者の携帯端末に例えば図６（ｃ）に示すようなメッセージ入力画面９０ｂを表示する。このメッセージ入力画面９０ｂは、メニュー情報９３ａと、メッセージ入力欄９３ｂと、入力したメッセージを送信する送信ボタン９５と、を有している。尚、メッセージ入力画面９０ｂにはメッセージに写真を添付するための画像撮影ボタン９３ｃを有していても良い。使用者はこのメッセージ入力画面９０ｂを受けて、食券購入者に対して料理の感想や御礼等のメッセージを入力した後、送信ボタン９５を押下してメッセージを確定する（ステップＳ４１０：Ｙｅｓ）。そして、この食券購入者へのメッセージは使用者が電子食券のメニューを確かに食べたことを間接的に示す証拠となる。
【００２９】
ステップＳ４０９にて画像撮影が行われるか、もしくはステップＳ４１０でメッセージの入力が完了すると、電子食券発行プログラムは使用者の携帯端末に例えば図６（ｄ）に示すような店舗認証番号要求画面９８を表示する（店舗認証番号要求ステップＳ４１２）。尚、店舗認証番号とは、前述の電子食券発行システムの管理会社が登録飲食店毎に発行した固有の認証番号である。そして、使用者は会計時等に店舗側の店員に店舗認証番号入力欄９８ａへの店舗認証番号の入力を依頼する。尚、本発明に係る電子食券発行プログラム及び電子食券発行システムでは画像撮影もしくはメッセージ入力を行わないと、店舗認証番号要求画面９８が表示されず電子食券による会計処理は行えない。
【００３０】
店舗認証番号入力欄９８ａに店舗認証番号が入力されると電子食券発行プログラムは電子食券と店舗認証番号とを照会する。そして、これらが適正なものと認証すると（ステップＳ４１４：Ｙｅｓ）、電子食券発行プログラムはこの電子食券の使用を確認する（ステップＳ４１５）。そして、食券購入者の登録メールアドレスもしくはＳＮＳのＩＤにあて、使用者が撮影した画像もしくは使用者からのメッセージを送信するととともに、電子食券が適正に使用された事を通知する（食券使用通知ステップＳ４１６）。これにより、食券購入者は使用者が電子食券を使用して食券購入者の選択したメニューを食べたことを知ることができる。
【００３１】
また、電子食券発行プログラムは登録飲食店側に対し電子食券による適正な使用が行われた事を所定の手段により通知する。この通知は、使用者の携帯端末に表示された電子食券の使用完了表示の提示で行っても良い。そして、電子食券発行プログラムはこの電子食券の履歴データを使用済みとする（ステップＳ４１８）。これにより、購入履歴画面８０ａのこの電子食券の使用状況表示８２ｂは使用済みと表示される。また、使用した電子食券の購入代金が食券購入者への支払い請求に加算される（ステップＳ４２０）。この食券購入者への支払い請求額及び明細は、食券購入者のマイページ３０の支払確認画面表示ボタン３０ｃを押下することで（ステップＳ２０８：Ｙｅｓ）、例えば図４（ｃ）に示すような支払確認画面８０ｂが表示され、いつでも確認が可能である。また、使用者が撮影した画像、及び使用者からのメッセージは、マイページ３０のメッセージ表示ボタン３０ｂを押下することで（ステップＳ２１２：Ｙｅｓ）、例えば図４（ｄ）に示すようなメッセージ画面８０ｃが表示され、いつでも確認が可能である。
【００３２】
尚、発券要求した電子食券が有効期限までに使用されなかった場合（ステップＳ４０４：Ｙｅｓ）、電子食券発行プログラムは有効期限が渡過した電子食券を無効とする（ステップＳ４０５）。尚、この有効期限は基本的に発行から１ヶ月程度が好ましい。この無効の情報は購入履歴に記録され購入履歴画面８０ａで閲覧が可能となる。また、電子食券が無効となった場合、電子食券発行プログラムは食券購入者の登録メールアドレスもしくはＳＮＳのＩＤにあて、電子食券が使用されず無効になったことを通知する（ステップＳ４０７）。尚、電子食券が使用されず無効になった場合には、無効になった電子食券の購入代金は食券購入者の支払い請求には加算されず、この電子食券分の費用請求は発生しない。
【００３３】
そして、電子食券発行システムもしくは管理会社は、例えば食券購入者が登録したカード情報に基づいて支払い請求の会計処理を行う。また、登録店舗に電子食券で支払った料理代金の会計処理を行う。
【００３４】
尚、本発明に係る電子食券発行システムでは、登録飲食店のメニューの紹介文や登録飲食店の紹介文を以下の様にして取得、作成することが好ましい。先ず、新規の飲食店が登録したり既存の登録飲食店が新メニューや期間限定メニューを発売した場合、電子食券発行システムの管理会社はこのメニューを食してレポートを作成する調査員を募集する。尚、この調査員は調査を行う登録飲食店の近隣の大学生を募集することが好ましい。そして、電子食券発行システムの管理会社は、調査員に対し指定の日時に調査対象のメニューを実食するよう指示する。また、登録飲食店に対し指定の日時に調査員が訪問することを連絡する。そして、登録飲食店は調査員に対し無料で調査対象のメニューを提供する。また、調査員は調査対象のメニューを無料で実食し、そのレポートを電子食券発行システムの管理会社に提出する。尚、調査員は調査対象のメニューの飲食費が実質的な報酬となる。また、登録飲食店は調査対象のメニューの調査員への提供が実質的な広告費となる。この構成によれば、調査員は無料で調査対象のメニューを食し、１食分の食費を浮かすことができる。また、登録飲食店側は調査対象のメニューの提供費用で紹介文の掲載を行うことができる。
【００３５】
以上のように、本発明に係る電子食券発行プログラム及び電子食券発行システムは、食券購入者が使用者に食べさせたいメニューを選択して、そのメニューの電子食券を使用者に送付する。よって、食券購入者が栄養バランス等に配慮して電子食券を選択することで、使用者に健康的な食事を摂らせることができる。また、単なる送金とは異なり、他の用途や別メニューへの転用ができないため、食券購入者の意図する健康的な食事を使用者に摂らせることができる。
【００３６】
また、本発明に係る電子食券発行プログラム及び電子食券発行システムは、使用者が電子食券のメニューを食したことを確認するために、使用者に対し画像の撮影もしくはメッセージの入力を要求する。また、電子食券の使用の際には使用者の携帯端末へ登録店舗側の店舗認証番号の入力を要求する。これにより、電子食券の転用や不正使用を抑制することができる。また、電子食券の使用時に撮影される画像もしくはメッセージは食券購入者に送信される。これにより、食券購入者は使用者とコミュニケーションが取れるとともに、使用者の様子を窺い知ることができる。
【００３７】
尚、本例で示した電子食券発行プログラム及び電子食券発行システムの構成は一例であり、各画面の表示内容、表示形式、各ステップの順序、入力項目、電子食券の送付方法等は上記の例に限定されるわけではなく、本発明は本発明の要旨を逸脱しない範囲で変更して実施することが可能である。
【符号の説明】
【００３８】
Ｓ１０２  登録情報取得ステップ
Ｓ３０４  メニュー抽出ステップ
Ｓ３０６  メニューリスト表示ステップ
Ｓ３１９  電子食券発行ステップ
Ｓ３２２、Ｓ３２４  食券発行通知ステップ
Ｓ４０８  メッセージ要求ステップ
Ｓ４１２  店舗認証番号要求ステップ
Ｓ４１６  食券使用通知ステップ
【図１】
2017194890.tif 000003
【図２】
2017194890.tif 000004
【図３】
2017194890.tif 000005
【図４】
2017194890.tif 000006
【図５】
2017194890.tif 000007
【図６】
2017194890.tif 000008